(57)【要約】【解決手段】本発明は、下着製品を一体型の管状ニット編地に編成する方法に関し、前記製品が、製品のカップ（１６、１８）の下側部分に沿って延びる胴部中央バンド（２４）と共に編成される。前記方法は、前記胴部中央バンド（２４）を編成し、同時に、前記カップ（１６、１８）に面する領域内に、複数の連続した編目が実質的に横糸の方向に並んだ状態を維持しながら、アンダーワイヤ（２６）を形成するために、前記連続した編目を外すことにより、前記領域内に前記胴部中央バンド（２４）と実質的に平行な少なくとも１つのひだを形成する。
2007509249.tif 000002
【特許請求の範囲】
【請求項１】
管状ニットウェアの女性用一体型下着製品を、前記製品のカップ（１６、１８）の下側部分を縁取りながら、延びたバスク（２４）と共に編成する編成工程において、
前記バスク（２４）は、前記製品の前記カップ（１６、１８）に面した領域内で、実質的に横糸の方向に並んだ複数の連続した編目を保持して編成され、前記連続した編目を外すことによって、ステー（２６）を作成すべく、前記領域内で前記バスク（２４）とほぼ平行な少なくとも１つのビードを形成することを特徴とする編成工程。
【請求項２】
前記領域の中心部分（４６）の両側を変化させるために、横糸の方向に保持された編目数が徐々に作成され、また、前記中心部分（４６）から離れるにつれて断面が変化するビードを形成するために、前記保持された編目が外されることを特徴とする請求項１に記載の編成工程。
【請求項３】
第１部分が１列目（３８）の第１数の保持された編目から編成され、前記保持された編目が、前記第１数の両端部（４２、４４）から始まり、前記中心部分（４６）に向かって、２列目（４７）まで徐々に外され、前記２列目に前記第１数より少ない第２数の編目が保持され、前記２列目から前記第２数の保持された編目が外され、
第２部分が３列目（５２）の第３数の保持された編目から編成され、編目が、前記第３数の両側に、前記中心部分（４６）に対し広がりながら、４列目（５８）まで徐々に固定され、前記４列目に前記第３数より多い第４数の編目が保持され、前記４列目から前記第４数の編目が外されることを特徴とする請求項２に記載の編成工程。
【請求項４】
前記複数の編目が保持される前に固定された編目が保持され、前記ビードを巻着させるべく前記連続した編目が外された後に、前記固定された編目が外されることを特徴とする請求項１乃至３のいずれかに記載の編成工程。
【請求項５】
前記バスク（２４）が、前記領域に、少なくとも１つの追加の糸を用いて、前記領域を硬化する方法により編成されることを特徴とする請求項１乃至４のいずれかに記載の編成工程。
【請求項６】
請求項１乃至５のいずれかに記載の編成工程によって得られることを特徴とするブラジャータイプの女性用下着製品。
【発明の詳細な説明】
【技術分野】
【０００１】
本発明は、管状ニットウェアの女性用一体型下着製品の編成工程、及び、前記工程によって得られる製品に関する。
【背景技術】
【０００２】
公知の編成工程により、円筒形で対称的な製品を一体型に作成することが可能である。このような工程は、針が環状に配置された円形編機を用いて実行され、給糸が、編地及び針の長手方向に対して垂直に向いている。
【０００３】
これらの工程を用いることにより、実質的に円筒形である編物製品の胴部分を容易に作成できる。
【０００４】
その一方で、管状製品と比べて比較的非対称な形状であるブラジャータイプの女性用下着製品は、後で他の構成要素を追加して完成するため、円形編機では部分的にしか作成することができない。
【０００５】
クロップトトップ又は「ボディ」タイプの女性用ニットウェアの製品によっては、他の構成要素を追加する必要がなく、管状のニットウェアから比較的容易に一体型に作成できるものもある。
【特許文献１】仏国特許発明第２７８３５３２号明細書
【発明の開示】
【発明が解決しようとする課題】
【０００６】
特に特許文献１を参照すると、折り畳み部分又はバスクによって分けられ、一体型に編成された２枚の同軸層と、特に胸部の高さに調整すべく適合された補強部を形成するために、より引き締めて編成した部分を有する内層とを設けた女性用下着製品について説明している。
【０００７】
しかし、この女性用下着製品を作成すべく実施されるこの工程では、例えば、ブラジャーのカップを縁取るマチ内に供給された、硬性を追加した構成要素によってのみ得られるステーと共にブラジャーを作成することができない。
【０００８】
そのため、本発明の１つの目的は、ステーを形成するために硬性を呈する構成要素を追加する必要のない、単一の層から成る一体型の女性用下着製品を作成することである。
【課題を解決するための手段】
【０００９】
この目的のために、本発明の第１の目的は、管状ニットウェアの女性用一体型下着製品の編成工程を提案することであり、前記製品は、前記製品のカップの下側部分を縁取りながら、延びたバスクと共に編成され、前記バスクは、前記製品の前記カップに面した領域内で、実質的に横糸の方向に並んだ複数の連続した編目を保持して編成され、前記連続した編目を外すことによって、ステーを作成すべく、前記領域内で前記バスクとほぼ平行な少なくとも１つのビードを形成する。
【００１０】
そのため、本発明の１つの特徴は、ステーを形成するビードが作成される、前記カップの基部に位置するバスクの領域を編成する方法にある。こうすることで、ステー形成の際に硬性を呈する構成要素を追加する必要がなく、つまり、この女性用下着製品は、すぐに着用可能な状態の一体型に作成することができる。この工程を用いることにより、前記製品を有利なコストで製造することが可能になる。
【００１１】
本発明を実行する特に有利な方法によれば、前記領域の中心部分の両側を変化させるために、横糸の方向に保持された編目数が徐々に作成され、また、前記中心部分から離れるにつれて断面が変化するビードを形成するために、前記保持された編目が外される。
【００１２】
こうすることで、ステーが、より厚手でより硬性を呈する中心部分を有する、カップに対応する領域に形成され、前記中心部分は両側に延びる程減少する。これにより、本願明細書の以降の記述により詳細に説明しているように、一方で、中心部分から離れるにつれて、前記バスク領域が平坦に押圧され、延びた第１可撓部分を形成し、身体胴部の側方部分に対する支持を目的とし、他方で、別のカップに面して配置されるバスク領域を接合すべく適合された第２部分を形成する。
【００１３】
従来の実行方法に基づいた本発明の特定の実施形態によれば、最初に、１列目の第１数の保持された編目から第１部分が編成され、前記保持された編目が、前記第１数の両端部から始まり、前記中心部分に向かって、２列目まで徐々に外され、前記２列目に第１数より少ない第２数の編目が保持され、前記２列目から前記第２数の保持された編目が外される。次に、３列目の第３数の保持された編目から第２部分が編成され、編目が、前記第３数の両側に、前記中心部分に対し広がりながら、４列目まで徐々に固定され、前記４列目に前記第３数より多い第４数の編目が保持され、前記４列目から前記第４数の編目が外される。
【００１４】
従って、この特定の実施形態を用いることで、以下の本願明細書でより詳細に説明するように、有利なことには、実質的に円形の断面を有する、より厚手でより硬性を呈するステーを作成可能な、互いに対称である２つの連続したビードが作成される。
【００１５】
特に有利な方法では、１又は複数のビードを巻着させてステーを形成するためには、前記複数の連続した編目を保持する前に固定された編目が保持され、前記複数の連続した編目を外した後に前記固定された編目が外される。このように、バスク及び前記領域の編成中に、実質的に編成の開始部に相当するバスクの自由縁が、前記固定された編目によって針に保持される。ビードが作成されると、前記ビードを１つの構成要素として巻着してステーを形成するために、前記固定された編目が外される。
【００１６】
前記バスクは、前記領域では、前記領域を硬化するために、少なくとも１つの追加の糸により編成されることが好ましい。そのため、前記領域内でバスクに与えられた輪郭に加えて、好ましくはより硬化するために選択した追加の糸によって、より硬性を呈するステーを形成できる。
【００１７】
本発明の第２の目的は、管状ニットウェアの女性用一体型下着製品の編成工程を提案することであり、前記製品は、前記製品のカップの下側部分を縁取りながら、延びたバスクと共に編成され、前記バスクは、前記製品の前記カップに面した領域内で、実質的に横糸の方向に並んだ複数の連続した編目を保持して編成され、前記連続した編目を外すことによって、ステーを作成すべく、前記領域内で前記バスクとほぼ平行な少なくとも１つのビードを形成する。
【００１８】
本発明の他の特徴及び利点は、添付の図面を参照して、例証及び非限定的な方法による、以下の本発明の特定の実施形態での説明を読むことで明らかになる。
【発明を実施するための最良の形態】
【００１９】
図１は、本発明に係る工程により、“Ｓａｎｔｏｎｉ”ブランドの“ＳＭ８”タイプの円形編機を使用して一体型に形成したブラジャー１０を示す。このタイプの編機は周知であり、既に、ステー無しで、「身体」の「上半身」の製品、「トップ」又はクロップトトップタイプを製造することができる。
【００２０】
ブラジャー１０は、前部１１及び２つの側方部１２、１３を備え、これら側方部は、各々自由端１４、１５によって終端とする。２つの自由端１４、１５には、後部で互いに接続するための固定手段が取り付けてあるため、胸部上に前記前部１１を側方に維持することができる。前部１１は２つのカップ１６、１８を備えており、これらのカップから肩紐２０、２２が延び、前記カップ１６、１８を垂直に維持すべく前記側方部分１２、１３と接続する。
【００２１】
まず、ブラジャー１０の作成前の段階で、２つの自由端を互いに接続し、製品を一体型の管状のニットウェアとして作成する。これを、ブラジャー１０を製造するための公知の方法により切断してある。
【００２２】
一方で、下側部分には折り畳み部分又はバスク２４が設けてあり、本発明に係る工程により編成されており、これにより、ステー２６を、カップ１６、１８を縁取るバスク２４の領域内に配置できるようになる。
【００２３】
図１に示すバスク２４は２層の形状であり、図２は、一致する部分を展開した形で示す。
【００２４】
図２は、前記領域と一致するバスク２４のニットウェア部分を示し、下側部分２８は編成の開始部分に相当し、上側部分３０はバスク２４の編成の終了部分に相当する。
【００２５】
次に、図２及び図３を参照して本発明に係る編成工程を説明するが、これらの図では、バスク２４の下側部分２８は１列目の編目３２と一致し、バスク２４の上側部分３０は中間列の編目３４と一致する。
【００２６】
この工程は、上述した円形編機で、１列目の編目３２から編成を開始し、この場合、バスク２４の第１の長さは数列の編目に相当し、次に、バスクの全周にかけて、編目は互いに均等に離間して保持され、その後、以下に説明するように、ニットウェアを折り畳めるようになるまでバスク２４の編成が完全に終了した場合にのみ外される。図３に示すように、この折り畳みは保持された編目３６によって可能になる。
【００２７】
次に、図２及び図３に示すように、１列目の編目３８まで第２の長さが編成され、ここから、カップ１６、１８の下側部分の縁取りを目的とした領域に相当する幅ｌ１にかけて、第１数の連続した編目が互いに均等に離間して保持される。
【００２８】
編成は第３の長さＬ３まで続き、その間、前記１列目の編目３８から、前記第１数の連続した編目の第１端部４２、４４から保持された連続した編目が各領域で徐々に外される。これは、図２及び図３で確認される２列目の編目４７まで、中心部分４６に対して対称に実施される。この編目を外す効果により、２つのニットウェア部分を交差させることができる。
【００２９】
前記第３の長さＬ３の編成後、第１数より少ない第２数の保持された編目が幅ｌ２に相当し、各領域で、幅ｌ１に関連して中心決めされる。前記幅ｌ１にわたる１列目の編目３８を、２列目の編目４７と交差させるため、また、２つの折り畳み５０、５１で構成された第１ビード４８を形成するために、この第３の長さＬ３から、前記１列目３８から保持された第２数の編目が外される。このビードは、幅ｌ２にかけて比較的均一な断面を有し、両側が、幅ｌ１まで実質的に円錐形状に延びる。
【００３０】
その後、少なくとも１列の編目を編成した後に、３列目の第２数の連続した編目５２が、再び前記領域内で、幅ｌ２にかけ互いに離間した形で、また、１列目の編目３８から外された第２数の編目に面して保持される。
【００３１】
次に、編成が第４の長さＬ４にかけて対称に継続され、その間、各領域で、前記３列目の編目５２から開始して、第２数の連続した編目の２つの端部５４、５６から編目が徐々に固定される。長さＬ３の編成と同様に、編目は、図２及び図３で確認できる４列目の編目５８まで、中心部４６に対して対称に徐々に固定される。
【００３２】
また、編物の長さＬ４は実質的にＬ３と等しく、その結果、前記４列目の編目５８は、前記第１数の編目及び前記幅ｌ１に実質的に相当する。
【００３３】
その後、前記３列目５２の第２数の保持された編目と、長さＬ４の編成中のこれ以外の４列目５８までの全ての保持された編目とが、実質的に幅ｌ１に相当する幅にかけて４列目５８の編目と交差するように、対称に外される。
【００３４】
このようにして、横糸の方向に第１ビードと完全に対称であり、２つの折り畳み６０、６２を設けた第２ビードが形成される。
【００３５】
次に、図３に示す第５の長さＬ５が編成され、その後、図３に示す編目３６に適合し、バスク２４の全周にかけて均等に離間している前記保持された編目が外される。
【００３６】
こうすることにより、一方で、図３に断面的に示されている、ビードが作成された、カップ１６、１８の縁取りを目的とするバスク２４の領域内にステー２６が形成され、他方で、バスク２４の側方部分に互いに適用する形で２つの折り畳みが形成される。
【００３７】
バスク２４の後には、カップ１６、１８及びブラジャーのその他の構成部分を従来の方法で作成すべく、編成が続けられる。
【００３８】
特に有利な方法では、ポリアミド糸及びポリアミドを被覆したエラステーン（ｅｌａｓｔａｎｅ）糸を使用して、本発明によるブラジャーを作成する。
【００３９】
これにより、特に有利な実行方法によれば、バスク編成時に、ステーに相当する領域に、例えば塩化ポリビニール製の糸を追加する。こうすることで、より硬性を呈するステーが形成される。
【００４０】
更に、ステー２６を形成するバスク２４の領域間に位置したバスク部分を、他のバスク部分とは異なる特定の編目タイプにより編成することができる。
【００４１】
１枚の管状ニットウェアの、周知の方法による特定の美的又は機械的効果を望むその他の部分についても同様である。
【図面の簡単な説明】
【００４２】
【図１】本発明に係る工程によって得られた女性用下着製品の正面図である。
【図２】図１に示した製品の、展開した部分詳細図である。
【図３】図１に示した製品の、ＩＩＩ−ＩＩＩに沿った断面の部分斜視図である。
【図１】
2007509249.tif 000003
【図２】
2007509249.tif 000004
【図３】
2007509249.tif 000005
【国際調査報告】
2007509249.tif 000006
2007509249.tif 000007
2007509249.tif 000008
2007509249.tif 000009